(57)【要約】【課題】  火災表示用の表示手段は、複数のカメラからの画像のうち、重要な複数箇所の画像を見やすくするように表示する。【解決手段】  自動火災報知設備は、防災対象物の図面上に複数の火災感知器の配置を示すアイコンを表示する第１表示手段（１０２）と、複数のカメラのうちの所定数の画像を互いに重なり合わないように表示する第２表示手段（１０３）と、第１表示手段及び第２表示手段の表示を制御する表示制御手段（１０１）と、を備える。そして表示制御手段は、第１表示手段で表示される火災感知器のアイコンが選択されるときに、第２表示手段に、選択される火災感知器に対応付けられるカメラの画像を第１サイズで表示し、選択されない火災感知器のアイコンに対応付けられるカメラの画像を第１サイズより小さい第２サイズで表示する。【選択図】  図１
2015111327.tif 000002
【特許請求の範囲】
【請求項１】
建物等の監視対象物に設置されて火災警報を制御する火災受信機を含む自動火災報知設備であって、
前記監視対象物の必要箇所に設置されて火災現象を感知し、この火災現象に関する信号を、前記火災受信機に対して出力する複数の火災感知器と、
前記監視対象物の必要箇所に設置されて前記火災感知器に対応付けられ、前記火災感知器の設置場所に関する周辺状況の画像を撮像する複数のカメラと、
前記監視対象物の平面図等の図面上に前記複数の火災感知器の配置を示すアイコンを表示する第１表示手段と、
前記複数のカメラのうちの所定数の画像を互いに重なり合わないように表示する第２表示手段と、
前記第１表示手段及び第２表示手段の表示を制御する表示制御手段と、
を備え、
前記表示制御手段は、前記第１表示手段で表示される前記火災感知器のアイコンまたは前記カメラの配置を示すアイコンが選択される状態で表示されると同時に、前記第２表示手段に、前記所定数の画像のうち選択される前記火災感知器に対応付けられる前記カメラまたは前記カメラのアイコンに対応する前記カメラの画像を第１サイズで表示し、前記所定数の画像のうち前記選択されない前記火災感知器のアイコンに対応付けられる前記カメラの画像を前記第１サイズより小さい第２サイズで表示することを特徴とする自動火災報知設備。
【請求項２】
前記表示制御手段は、前記第１表示手段に前記火災感知器のアイコンまたは前記カメラのアイコンが選択されない状態で表示されるときに、前記第２表示手段に前記所定数の画像を均等のサイズで表示させる請求項１に記載の自動火災報知設備。
【請求項３】
前記表示制御手段は、前記火災受信機からの火災信号を受信する際に、前記火災信号を出力する根拠となる前記火災感知器に対応するカメラ及びそのカメラ近傍の他のカメラからの画像を、前記第２表示手段に前記所定数の画像として表示させる請求項１または請求項２に記載の自動火災報知設備。
【請求項４】
前記表示制御手段は、前記火災感知器が前記火災現象を感知する信号が所定のしきい値を超えている場合に第１色で前記火災感知器のアイコンを前記第１表示手段に表示し、前記火災現象を感知する信号が前記所定のしきい値を超えていなければ前記第１色とは異なる第２色で前記火災感知器のアイコンを前記第１表示手段に表示する請求項１から請求項３のいずれかに記載の自動火災報知設備。
【発明の詳細な説明】
【技術分野】
【０００１】
本発明は、自動火災報知設備に関し、特に、自動火災報知設備で複数のカメラからの画像を表示させ、その表示を見やすくする自動火災報知設備に関する。
【背景技術】
【０００２】
従来、自動火災報知設備においては、火災感知器からの火災報知信号に基づいて、監視区域の平面図等に火災感知器や警報装置等の設置場所や種類を識別するための識別符号等を重ねて表示し、必要に応じて文字情報等も表示装置の表示画面上に表示している。さらに、特許文献１では、ビデオカメラの画像を表示する自動火災報知設備が提案されている。
【０００３】
特許文献１は、建物内を撮影するビデオカメラを接続し、自動火災報知設備用の表示装置上にビデオカメラのシンボルを配置している。そして、火災受信機から火災感知器の火災報知信号を受けたときに、発報した火災感知器のシンボル及びこの火災感知器に対応したビデオカメラのシンボルの表示を変化させるとともに、火災感知器に対応したビデオカメラが撮影する画像を、平面図とともにディスプレイに表示している。
【先行技術文献】
【特許文献】
【０００４】
【特許文献１】特開平１０−２６１１７６号公報
【発明の開示】
【発明が解決しようとする課題】
【０００５】
しかしながら、特許文献１の画像は、平面図とともに画像を表示しているため、平面図及び画像が小さく表示される。このため、平面図及び画像がともに見にくくなるといった問題がある。
【０００６】
本発明は、上記事由に鑑みて、平面図表示用の表示手段と火災表示用の表示手段とをそれぞれ有する自動火災報知設備を提供する。また、火災表示用の表示手段は、複数のカメラからの画像のうち、重要な複数箇所の画像を見やすくするように表示する。
【０００７】
第１の観点の自動火災報知設備は、建物等の監視対象物に設置されて火災警報を制御する火災受信機を含む自動火災報知設備である。そして自動火災報知設備は、監視対象物の必要箇所に設置されて火災現象を感知し、この火災現象に関する信号を、火災受信機に対して出力する複数の火災感知器と、監視対象物の必要箇所に設置されて火災感知器に対応付けられ、火災感知器の設置場所に関する周辺状況の画像を撮像する複数のカメラと、監視対象物の平面図等の図面上に複数の火災感知器の配置を示すアイコンを表示する第１表示手段と、複数のカメラのうちの所定数の画像を互いに重なり合わないように表示する第２表示手段と、第１表示手段及び第２表示手段の表示を制御する表示制御手段と、を備える。また表示制御手段は、第１表示手段で表示される火災感知器のアイコンまたはカメラの配置を示すアイコンが選択される状態で表示されると同時に、第２表示手段に、所定数の画像のうち選択される火災感知器に対応付けられるカメラまたはカメラのアイコンに対応するカメラの画像を第１サイズで表示し、所定数の画像のうち選択されない火災感知器のアイコンに対応付けられるカメラの画像を第１サイズより小さい第２サイズで表示する。
【０００８】
第２の観点の自動火災報知設備において、表示制御手段は、第１表示手段に火災感知器のアイコンまたはカメラのアイコンが選択されない状態で表示されるときに、第２表示手段に所定数の画像を均等のサイズで表示させる。
第３の観点の自動火災報知設備において、表示制御手段は、火災受信機からの火災信号を受信する際に、火災信号を出力する根拠となる火災感知器に対応するカメラ及びそのカメラ近傍の他のカメラからの画像を、第２表示手段に所定数の画像として表示させる。
第４の観点の自動火災報知設備において、表示制御手段は、火災感知器が火災現象を感知する信号が所定のしきい値を超えている場合に第１色で火災感知器のアイコンを第１表示手段に表示し、火災現象を感知する信号が所定のしきい値を超えていなければ第１色とは異なる第２色で火災感知器のアイコンを第１表示手段に表示する。
【発明の効果】
【０００９】
本発明の自動火災報知設備は、平面図表示用の第１表示手段と火災表示用の第２表示手段とを有している。このため、火災表示用の第２表示手段で、複数のカメラからの画像のうち、複数の重要な箇所の画像を見ることができる。
【図面の簡単な説明】
【００１０】
【図１】火災受信機１００に接続された火災感知器１０の概念図である。
【図２】各しきい値ＴＨを例示した表である。
【図３】総合操作盤１０２の表示と、感知器カメラ１９及び防災カメラ６０からの画像を火災モニタ盤１０３に表示とを説明したフローチャートである。
【図４】総合操作盤１０２の表示画面に、ビル平面図及び火災感知器等のアイコンが表示され、火災モニタ盤１０３の表示画面に、感知器カメラ及び防災カメラの画像が表示された例である（火災感知器１０に１つの感知器カメラ）。
【図５】総合操作盤１０２に表示されている防災カメラ６０のアイコンがクリックされた際の総合操作盤１０２及び火災モニタ盤１０３の表示画面である。
【図６】総合操作盤１０２に表示されている火災感知器１０のアイコンがクリックされた際の総合操作盤１０２及び火災モニタ盤１０３の表示画面である。
【図７】総合操作盤１０２の表示画面に、ビル平面図及び火災感知器等のアイコンが表示され、火災モニタ盤１０３の表示画面に、感知器カメラ及び防災カメラの画像が表示された例である（火災感知器１０に３つの感知器カメラ）。
【発明を実施するための最良の形態】
【００１１】
（全体構成）
図１は、防火対象物であるビルＢＤに、複数の火災感知器１０（１０Ａ〜１０Ｉ）及び複数の防災カメラ６０（６０Ａ〜６０Ｄ）が配置された概念図である。火災感知器１０（１０Ａ〜１０Ｉ）は、ビルＢＤ内の天井面などに設置され、電源・伝送線５０を介して火災受信機１００に接続されている。また、防災カメラ６０（６０Ａ〜６０Ｄ）も、ビルＢＤ内の天井面などに設置され、電源・伝送線５０を介して火災受信機１００に接続されている。火災感知器１０Ａには、内部ブロック図が描かれている。
【００１２】
なお、図１には詳細に示さないが、火災報知設備として必要な機器は設置されていて、例えば、地区音響装置を用いる場合には、地区音響装置が設置されて直接火災受信機１００によって制御されてもよく、また、中継器を介して伝送線５０に接続されて伝送信号によって制御されてもよい。また、防排煙機器を用いる場合も同様に中継器を介して伝送線に接続されて伝送信号によって制御される。
【００１３】
火災感知器１０（１０Ａ〜１０Ｉ）は、火災感知器１０に対応付けられた制御手段１２、ＬＥＤ光源Ｌ１０〜Ｌ３０、検出手段１３、発音手段であるスピーカ１５、集音手段であるマイク１７及び感知器カメラ１９を有している。また制御手段１２は、ＬＥＤ光源Ｌ１０〜Ｌ３０、検出手段１３、スピーカ１５、マイク１７及び感知器カメラ１９と接続されている。このような火災感知器１０は、各フロアの部屋毎など必要な個数が配置され、実際には図１に示した個数よりも多くの火災感知器１０が設けられることになる。
【００１４】
ＬＥＤ光源Ｌ１０、ＬＥＤ光源Ｌ２０及びＬＥＤ光源Ｌ３０は、それぞれ異なる発光色であり、例えばＬＥＤ光源Ｌ１０の発光色は赤色であり、ＬＥＤ光源Ｌ２０の発光色は橙色であり、ＬＥＤ光源Ｌ３０の発光色は緑色である。また、ＬＥＤ光源Ｌ１０、ＬＥＤ光源Ｌ２０及びＬＥＤ光源Ｌ３０の各発光色も互いに異なれば適宜変更してもよいし、ＬＥＤ光源Ｌ１０及びＬＥＤ光源Ｌ２０の２色だけでもよい。
【００１５】
検出手段１３は、火災に起因した物理現象を検出する。火災に起因する物理現象は、例えば、煙、熱、赤外線放射、紫外線放射、一酸化炭素等の燃焼生成ガス等である。この検出手段１３は、これらの少なくとも一つを検出し検出信号ＤＤを出力する。スピーカ１５は、後述する総合操作盤１０２などで入力された音声の発声、予め記憶されている音声を発声する。マイク１７は、火災感知器１０の周辺の音を集音し電気信号に変えて出力する。感知器カメラ１９は、火災感知器１０に１又は２以上備えられており、火災感知器１０の周辺を撮影する。
【００１６】
制御手段１２は、検出手段１３で検出された火災に起因する物理現象の検出信号ＤＤを受信して記憶し、検出手段１３からの検出信号ＤＤに基づいて、ＬＥＤ光源Ｌ１０〜Ｌ３０、発音部１５、マイク１７、感知器カメラ１９を制御する。制御手段１２は、各検出信号ＤＤを火災受信機１００に送信、また制御手段１２は検出信号ＤＤが後述する所定のしきい値を超える場合には、火災受信機１００又は他の火災感知器１０に感知器報知信号ＫＳを送信する。また、制御手段１２は、火災受信機１００からの火災信号ＦＳを受信したり、他の火災感知器１０からの感知器報知信号ＫＳを受信したりする。
【００１７】
火災受信機１００は、火災警報を制御し、火災発生時には、火災感知器１０又は防災カメラ６０に火災信号ＦＳを送信する。火災受信機１００には総合操作盤１０２と表示制御手段を備える火災モニタ盤１０３が表示制御手段であるコンピュータ１０１を介して接続されている。総合操作盤１０２及び火災モニタ盤１０３は、音声マイク、スピーカ、キーボード及びマウス等（いずれも不図示）を備えている。そして、総合操作盤１０２は、その表示画面に、ビルＢＤの平面図（図４を参照。）と、各火災感知器１０（１０Ａ〜１０Ｉ）の配置位置に応じた火災感知器１０のアイコンと、各防災カメラ６０（６０Ａ〜６０Ｄ）の配置位置に応じた防災カメラ６０のアイコンとを表示する。火災モニタ盤１０３の表示画面は、各火災感知器１０（１０Ａ〜１０Ｉ）の感知器カメラ１９からの画像、及び防災カメラ６０（６０Ａ〜６０Ｄ）からの画像を表示する。これらの総合操作盤１０２及び火災モニタ盤１０３は、詳細に説明しないが、火災受信機１００から図示しないインターフェースユニットを介して移報信号を受信し、移報信号の情報に基づいて必要な表示等を行うものであり、図示しない制御部を有して、その制御部によって表示内容を制御する。これらの図示しない制御部が表示制御手段に該当する。
【００１８】
なお、各火災感知器１０からの情報は、火災受信機１００によって収集されるが、その情報は、火災受信機１００から総合操作盤１０２及び火災モニタ盤１０３に移報され、さらに、総合操作盤１０２上の操作情報が火災モニタ盤１０３に移報される必要があるが、これらの総合操作盤１０２及び火災モニタ盤１０３間は相互に情報交換できるよう接続されていればよい。なお、火災モニタ盤１０３を簡略化して、総合操作盤１０２内の図示しない制御部によって双方の画面が表示制御される系統としてもよい。
【００１９】
次に、火災感知器１０（１０Ａ〜１０Ｉ）のしきい値について説明する。図２は、各しきい値ＴＨを例示した表である。各火災感知器１０Ａ〜１０Ｉの制御手段１２は、しきい値ＴＨ１及びしきい値ＴＨ２が設定されている。本実施形態の検出手段１３は、煙センサ機能、一酸化炭素センサ機能及び温度センサ機能を有しており、制御手段１２は、しきい値を煙センサ機能、一酸化炭素センサ機能及び温度センサ機能毎に有している。本実施形態では、いずれか一つのセンサ機能の値（検出信号ＤＤ）がしきい値ＴＨ１又はＴＨ２に達することで、しきい値ＴＨ１又はＴＨ２を超えたと判断する。しかしこれに限られるのではなく、２つのセンサーの値がしきい値ＴＨ１又はＴＨ２に達したら、しきい値ＴＨ１又はＴＨ２を超えたと判断してもよいし、３つのセンサ機能の値がすべてしきい値ＴＨ１又はＴＨ２に達したら、しきい値ＴＨ１又はＴＨ２を超えたと判断してもよい。
【００２０】
しきい値ＴＨ１以下は、危険度が”低”であり、例えば、煙センサ機能は５％／ｍ未満、一酸化炭素センサ機能は５００ｐｐｍ未満、温度センサ機能は温度上昇１０℃／分未満である。しきい値ＴＨ１を超え且つしきい値ＴＨ２以下は、危険度が”中”であり、例えば、煙センサ機能は５％／ｍ以上１０％／ｍ未満、一酸化炭素センサ機能は５００ｐｐｍ以上１０００ｐｐｍ未満、温度センサ機能は温度上昇１０℃／分以上３０℃／分未満である。しきい値ＴＨ２を超えると、危険度が”高”であり、例えば、煙センサ機能は１０％／ｍ以上、一酸化炭素センサ機能は１０００ｐｐｍ以上、温度センサ機能は３０℃／分以上である。
【００２１】
そして、火災感知器１０（１０Ａ〜１０Ｉ）のいずれか一つ、例えば火災感知器１０Ｄの検出信号ＤＤ−Ｄがしきい値ＴＨ２を超えると、火災感知器１０Ｄの制御手段１２は、火災受信機１００に感知器報知信号ＫＳを送信する。そして、火災受信機１００は、感知器報知信号ＫＳに基づいて火災警報するために、火災信号ＦＳを他の火災感知器１０（１０Ａ〜１０Ｃ、１０Ｅ〜１０Ｉ）に送信する。他の火災感知器１０（１０Ａ〜１０Ｃ、１０Ｅ〜１０Ｉ）は、各検出信号ＤＤ（ＤＤ−Ａ〜ＤＤ−Ｃ、ＤＤ−Ｅ〜ＤＤ−Ｉ）に基づいて、ＬＥＤ光源１０〜３０を点灯し、スピーカ１５、マイク１７及びカメラ１９を起動させる。また、他の火災感知器１０（１０Ａ〜１０Ｃ、１０Ｅ〜１０Ｉ）は、各検出信号ＤＤ（ＤＤ−Ａ〜ＤＤ−Ｃ、ＤＤ−Ｅ〜ＤＤ−Ｉ）を火災受信機１００に送信する。
【００２２】
他の火災感知器１０（１０Ａ〜１０Ｃ、１０Ｅ〜１０Ｉ）は、火災信号ＦＳに基づいてＬＥＤ光源１０〜３０を点灯させ、スピーカ１５、マイク１７及びカメラ１９を起動させたが、火災感知器１０Ｄからの感知器報知信号ＫＳを受信して、これらを点灯させたり起動させたりしてもよい。
【００２３】
危険度が”低”の場合、ＬＥＤ光源３０（緑色）が点灯し、スピーカ１５（音声内容：なし、または、「感知器が作動しました。避難してください。」等）、マイク１７及びカメラ１９が起動する。危険度が”中”の場合、ＬＥＤ光源２０（橙色）が点灯し、スピーカ１５（音声内容：「感知器が作動しました避難してください。」等）、マイク１７及びカメラ１９が起動する。危険度が”高”の場合、ＬＥＤ光源１０（赤色）が点灯し、スピーカ１５（音声内容：「すぐに避難してください。」等）、マイク１７及びカメラ１９が起動する。なお、危険度が“低”または“中”の場合でも、マイク１７及びカメラ１９が起動するが、必ずしもその必要はない。これらの起動する危険度はそれぞれ設定すればよい。
【００２４】
（総合操作盤１０２及び火災モニタ盤１０３の表示）
総合操作盤１０２の表示、及び火災モニタ盤１０３へのカメラ画像の表示について説明する。なお、感知器カメラ１９及び防災カメラ６０は、１秒間に３０又は６０フレームを撮影するビデオカメラでも、数秒に１枚の静止画を送信するカメラであってもよい。これらによるカメラ画像は電源・伝送線５０を介して一旦火災受信機１００で受信し、火災関係の伝送信号から画像信号を分離して火災モニタ盤１０３に入力される。この画像信号は専用の映像線を配線しても良いが、電源・伝送線５０に重畳することで簡便になる。
【００２５】
図３は、総合操作盤１０２及び火災モニタ盤１０３による火災監視のフローチャートである。図４は、総合操作盤１０２及び火災モニタ盤１０３の表示画面に表示された例示である。図４では、ビルＢＤの平面図の上に、各火災感知器１０（１０Ａ〜１０Ｉ）の配置位置に応じた火災感知器１０のアイコンが三角形印に”Ａ”から”Ｉ”の文字を付けて示してある。また、各防災カメラ６０（６０Ａ〜６０Ｄ）の配置位置に応じた防災カメラ６０のアイコンが六角形印に”Ａ”から”Ｄ”の文字を付けて示してある。
【００２６】
図３は、特に、火災感知器１０（１０Ａ〜１０Ｉ）に対応付けられ感知器カメラ１９からの画像、及び防災カメラ６０（６０Ａ〜６０Ｄ）の画像を火災モニタ盤１０３に表示する関連のフローチャートを示している。本実施形態では、図１に描かれるように、火災感知器１０Ｄの近傍に火災ＦＲが発生したと仮定して説明する。
【００２７】
ステップＳ１１では、すべての火災感知器１０が所定時間間隔で、それぞれの検出手段１３から検出信号ＤＤを、それぞれの制御手段１３に送信する。
火災感知器１０Ｄの近傍で火災ＦＲが発生したため、火災感知器１０Ｄの検出信号ＤＤ−Ｄが次第に大きくなっていき、しきい値ＴＨ１を超え、次にしきい値ＴＨ２を超える。検出信号ＤＤ−Ｄがしきい値ＴＨ２を超えると、火災感知器１０Ｄの制御手段１２は、火災が発生したと判断する（ステップＳ１３）。そして、火災感知器１０Ｄの制御手段１２は、火災受信機１００に感知器報知信号ＫＳを送信する（ステップＳ１５）。
【００２８】
火災受信機１００は、火災警報のため火災信号ＦＳを、火災感知器１０及び防災カメラ６０に送信する（ステップＳ１７）。
【００２９】
ステップＳ２１では、火災信号ＦＳに基いて、火災感知器１０の（１０Ａ〜１０Ｃ、１０Ｅ〜１０Ｉ）すべてのカメラ１９及び防災カメラ６０が起動する。そして、カメラで撮像された画像は、火災受信機１００を経由して、コンピュータ１０１及び火災モニタ盤１０３に送信される。
【００３０】
次に、ステップＳ２３では、火災モニタ盤１０３に、火災発生場所近傍の火災感知器１０Ｄの感知器カメラ１９からの画像、その周辺の感知器カメラ１９又は防災カメラ６０からの画像が表示される。なお、本実施形態における動作説明としては火災発生場所を中心としているが、予め必要な場所を選択しておき、重要箇所のカメラの画像を表示してもよい。
【００３１】
次に、ステップＳ２５をスキップして、ステップ３１及びステップＳ３３を説明する。
ステップＳ３１では、ステップＳ１７の火災信号ＦＳに基づいて、他の火災感知器１０（１０Ａ〜１０Ｃ、１０Ｅ〜１０Ｉ）は、電源・伝送線５０を介して各検出信号ＤＤ（ＤＤ−Ａ〜ＤＤ−Ｃ、ＤＤ−Ｅ〜ＤＤ−Ｉ）を、火災受信機１００に送信する。
【００３２】
ステップＳ３３では、火災受信機１００に送られた各検出信号ＤＤ（ＤＤ−Ａ〜ＤＤ−Ｃ、ＤＤ−Ｅ〜ＤＤ−Ｉ）に基づいて、火災受信機１００から移報信号を受信した総合操作盤１０２の図示しない制御部が、火災感知器１０のアイコンを色分けする。この色分けは、図２で示したしきい値ＴＨ１及びＴＨ２で色分けされる。このため、総合操作盤１０２に各火災感知器１０のＬＥＤ光源Ｌの色と同じ色で、火災感知器１０のアイコンが表示される。なお、防災カメラ６０のアイコンは色分けされない。
【００３３】
このように、総合操作盤１０２の表示画面上で各火災感知器のアイコン等が危険度に応じて色分け表示されることによって、火災発生時に、総合操作盤１０２の表示画面を見て火災発生場所から安全な方向を識別することが可能となり、例えば、火災発生場所近傍にいる避難者に対して、近辺の状態や安全な方向などを、火災感知器１０及びスピーカ１５を介して、示唆することが可能となる。このような危険度に応じた色分け表示は、さらに多段階に詳細に行えるようにしてもよい。また、火災発生場所等での各火災感知器１０のＬＥＤ光源Ｌが、総合操作盤１０２の画面上のアイコン等と同じ色の発光を行っているので、避難者を誘導しやすくなる。
【００３４】
図４は、火災信号ＦＳが送信された際に、総合操作盤１０２及び火災モニタ盤１０３に表示された画像例である。すなわち、ステップＳ２３及びステップＳ３３を経た状態の画像例であって、操作者によって操作されていない状態を示している。
【００３５】
総合操作盤１０２の表示画面では、火災感知器１０Ｄのアイコン（三角形印に”Ｄ”）が赤色で表示されている。また火災感知器１０Ｄと隣り合う火災感知器１０Ｂ及び１０Ｅのアイコン（三角形印に“Ｂ”、“Ｅ”）が橙色に表示されている。他の火災感知器１０Ａ、１０Ｃ及び１０Ｆ〜１０Ｉのアイコンは、緑色に表示されている。
【００３６】
同時に、火災モニタ盤１０３の表示画面では、例えば６つの画像が表示されているが、４つの画像または８つの画像でもよい。少ない数の画像であれば１つの画像が大きくなるが全体が見渡しにくくなり、多くの数の画像であると、全体は見渡しやすくなるが１つの画像が小さくなる。このため、火災モニタ盤１０３の表示画面には４つから８つの画像を表示することが好ましい。
【００３７】
このように、火災ＦＲの発生現場の周辺を確認するため、本実施形態では、感知器報知信号ＫＳを送信した火災感知器１０Ｄの感知器カメラ１９からの画像と、その周辺の複数の感知器カメラ１９又は防災カメラ６０の画像を４つ表示している。また、火災モニタ盤１０３には、重要な画像として、事前に非常口付近の防災カメラ６０Ｄが設定されており、防災カメラ６０Ｄの画像も表示されている。これはビルＢＤの非常口付近の状況把握が、避難の際に重要であるとの考えからである。しかし、防火対象物によっては、感知器報知信号ＫＳを送信した火災感知器１０に対応付けられた感知器カメラ１９からの画像と、その周辺の複数の感知器カメラ１９又は防災カメラ６０の画像を表示するだけでもよい。防火対象物によっては、非常口が多数あり、特に状況把握が重要な箇所が所定数として特定できない防火対象物があるからである。逆に、防火対象物によっては、設定できる範囲の箇所数で重要な箇所を２以上設定してもよい。
【００３８】
次に、ステップＳ２５、ステップＳ２７及びステップＳ３５を説明する。火災モニタ盤１０３の表示画面には、６つの画像が表示されている。火災モニタ盤１０３の確認したい画像がある場合に、操作者が図示しないマウス等を用いて火災モニタ盤１０３の表示画面に表示されたポインタＰＴで６つの画像のうちいずれか一つをクリックする（ステップＳ２５）。すると、コンピュータ１０１がそのクリックされた画像を大きく表示し、残りの５つの画像が小さく表示する（ステップＳ２７）。
【００３９】
また、火災モニタ盤１０３に表示されていない別のカメラの画像を確認する場合には、操作者は、総合操作盤１０２に表示されている火災感知器１０のアイコン又は防災カメラ６０のアイコンのいずれか一つを、総合操作盤１０２側の図示しないマウス等を用いてクリックする（ステップＳ３５）。図５は、総合操作盤１０２に表示されている防災カメラ６０のアイコン（六角形印に“Ａ”）をポインタＰＴでクリックした状態である。クリックすると、総合操作盤１０２からの移報信号を火災モニタ盤１０３が受信してその操作情報から、火災モニタ盤１０３の表示画面で防災カメラ６０Ａの画像を大きく表示し、これまで表示されていた６つの画像を小さく表示する（ステップＳ２７）。引き続き操作者が、総合操作盤１０２に表示されている火災感知器１０ＡのアイコンをポインタＰＴでクリックすると、同様に大きく表示されていた防災カメラ６０Ａの画像を消して、火災感知器１０Ａの感知器カメラ１９の画像を大きく表示する（不図示）。小さく表示された６つの画像はそのままである。最初に感知器報知信号ＫＳを送信した火災感知器１０Ｄに対応付けられた感知器カメラ１９からの画像とその周辺の画像を、火災発生現場として注視しているからである。なお、再び、図４の初期画面に戻す際には、表示画面右下のリセットボタンＲＳをポインタＰＴでクリックすればよい。
【００４０】
次に、ステップＳ４１からステップＳ４７を説明する。ステップＳ１７で送信された火災信号ＦＳに基づいて、各火災感知器１０のスピーカ１５及びマイク１７が起動する（ステップＳ４１）。そして、総合操作盤１０２のスピーカ（不図示）から、火災感知器１０Ｄのマイク１７で集音された音が流れる（ステップＳ４３）。ステップＳ４１では、すべてのマイク１７が起動しているため、総合操作盤１０２は、すべてのマイク１７からの音圧レベルを比較している。
【００４１】
ステップＳ４５では、総合操作盤１０２が、所定の音圧レベル（例えば１００ｄＢ）を超えた場合に、すべてのマイクの中で一番大きい音圧レベルのマイク１７を有する火災感知器１０のアイコンを点滅表示する。その火災感知器１０がたとえ赤色に表示されていなくても、操作者は、その火災報知機１０の周辺でトラブルが発生しているかもしれないと判断できる。なお、操作者がその火災感知器１０のアイコン又は近傍の防災カメラ６０のアイコンを図示しないマウス等によりクリックすることで、火災モニタ盤１０３へのカメラ画像の表示によってその火災感知器１０の状況を確認できることはもちろんである。
【００４２】
図６は、火災信号ＦＳが送信されてから時間が経過し、延焼が進んだ状態を示した総合操作盤１０２及び火災モニタ盤１０３の表示画面である。図６の総合操作盤１０２の表示画面では、火災感知器１０Ｄのアイコンが赤色で表示されている。延焼が広がったため火災感知器１０Ｂ及び１０Ｅのアイコン（三角形印に“Ｂ”、“Ｅ”）は橙色で表示されている。他の火災感知器１０Ａ、１０Ｃ、１０Ｆ、１０Ｇ、１０Ｈ及び１０Ｉのアイコンは、緑色で表示されている。また、一番大きい音圧レベルのマイク１７を有する火災感知器１０Ｉのアイコンが点滅している。
【００４３】
ステップＳ４７では、図６の総合操作盤１０２で点滅している火災感知器１０ＩのアイコンをポインタＰＴでクリックする。すると図６に示されるように、総合操作盤１０２からの移報信号を火災モニタ盤１０２が受信してその操作情報から、火災モニタ盤１０３の表示画面で感知器カメラ１９Ｉの画像を大きく表示し、これまで表示されていた６つの画像を小さく表示する（ステップＳ２７）。
【００４４】
以上の実施形態では１つの火災感知器１０に１つの感知器カメラ１９が備えられているとして説明した。図７では、火災感知器１０に３つの感知器カメラ１９が備えられている場合を説明する。
【００４５】
図７の総合操作盤１０２表示画面では、ビルＢＤの平面図の上に、各火災感知器１０（１０Ａ〜１０Ｉ）の配置位置に応じた火災感知器１０のアイコンが三角形印に”Ａ”から”Ｉ”の文字を付けて示してある。さらに、３つの感知器カメラの対応した感知器カメラ１９（１９−１、１９−２、１９−３）のアイコンが四角形とその中に丸印で示されている。これらの感知器カメラ１９は、取付方向に応じてアイコンが配置されている。例えば、図７において、火災感知器１０Ｄのアイコンに対応付けられて、下方向に感知器カメラ１９−１、右上方向に感知器カメラ１９−２、左上方向に感知器カメラ１９−３のアイコンが示されている。
【００４６】
図３で説明したステップＳ２３では、火災モニタ盤１０３は、感知器発報信号を送信した火災感知器１０Ｄの感知器カメラ１９からの画像、その周辺の感知器カメラ１９又は防災カメラ６０からの画像、及び重要箇所である非常口の防災カメラ６０の画像を表示した。火災感知器１０に３つの感知器カメラ１９が備えられている場合には、ステップＳ２３で、火災モニタ盤１０３の表示画面に、感知器発報信号を送信した火災感知器１０Ｄの感知器カメラ１９（１９−１、１９−２、１９−３）からの３つの画像、その周辺の火災感知器１０の１つの感知器カメラ１９又は防災カメラ６０からの画像、及び重要箇所である非常口の防災カメラ６０の画像を表示する。つまり火災モニタ盤１０３は、感知器発報信号を送信した火災感知器１０Ｄに関して感知器カメラの３つの画像を表示する。そして周辺の火災感知器１０では、火災モニタ盤１０３は１つの感知器カメラ１９しか表示しない。これらの点で、火災感知器１０に１つの感知器カメラ１９を有する場合と異なっている。感知器発報信号を送信した火災感知器１０Ｄに関しては、３つの感知器カメラ１９の画像で火災発生を注視する必要があるためである。
【００４７】
以上、総合操作盤１０２でビルの平面図を表示し、火災感知器１０のアイコンの色彩で火災現場の状況が容易に認識できるようにした。また火災モニタ盤１０３で、複数のカメラからの画像の内、重要な複数箇所の画像を見やすくする表示できるようにした。
さらに、各火災感知器１０にスピーカ１５及びマイク１７が備えられ、火災受信機１００、総合操作盤１０２または火災モニタ盤１０３から、音声等をモニタすることで現場の状況を理解したり、現場にいる者と通話することで状況理解に加え、行動の指示や状況説明が可能となる。
【００４８】
本発明は、その目的と利点を損なうことのない適宜の変形することができる。例えば、図３では、ステップＳ１７の火災受信機１００からの火災信号に基いて、火災感知器１０（１０Ａ〜１０Ｃ、１０Ｅ〜１０Ｉ）のすべての感知器カメラ及び防災カメラ６０が起動するとともに、マイク及びスピーカが起動した。これに替えて、ステップＳ１５の火災感知器１０からの感知器発報信号に基いて、火災感知器１０の（１０Ａ〜１０Ｃ、１０Ｅ〜１０Ｉ）すべての感知器カメラ及び防災カメラ６０が起動するとともに、マイク及びスピーカが起動するようにしてもよい。また、本実施形態では、火災感知器１０は、内蔵した感知器カメラを有していたが、内蔵の感知器カメラに替えて、火災感知器１０と対応付けた外付け感知器カメラを備えていてもよい。
【符号の説明】
【００４９】
１０Ａ〜１０Ｉ  …  火災感知器
１２  …  制御手段
１３  …  検出手段
１５  …  スピーカ
１７  …  マイク
１９（１９−１〜１９−３）  …  感知器カメラ
６０Ａ〜６０Ｄ  …  防災カメラ
１０２  …  総合操作盤
１０３  …  火災モニタ盤
Ｌ１０〜Ｌ３０  …  ＬＥＤ電源
ＢＤ  …  ビル
ＦＳ  …  火災信号
ＫＳ  …  感知器報知信号
ＰＴ  …  ポインタ
【図１】
2015111327.tif 000003
【図２】
2015111327.tif 000004
【図３】
2015111327.tif 000005
【図４】
2015111327.tif 000006
【図５】
2015111327.tif 000007
【図６】
2015111327.tif 000008
【図７】
2015111327.tif 000009